(57)【要約】【課題】甲部の強度を上げて、長期供用できるうえに、見栄えを良くして外観品質を向上させた履物を提供する。【解決手段】足の裏を支持する底部と、足の甲を覆う甲部とを備えた履物であって、前記甲部の内部に、模様の外輪郭形状の詰め物が内蔵されており、前記甲部において、前記模様の輪郭線が縫合され、前記模様部分の縫合された縫合部以外の表面側が前記詰め物により外方へ膨出することにより、前記甲部上に前記模様が形成されている。【選択図】図１
0003215579.tif 000002
【実用新案登録請求の範囲】
【請求項１】
足の裏を支持する底部と、足の甲を覆う甲部とを備えた履物であって、
前記甲部の内部に、模様の外輪郭形状の詰め物が内蔵されており、前記甲部において、前記模様の輪郭線が縫合され、前記模様部分の縫合された縫合部以外の表面側が前記詰め物により外方へ膨出することにより、前記甲部上に前記模様が形成されていることを特徴とする履物。
【請求項２】
前記詰め物は、弾力性を有する素材からなることを特徴とする請求項１に記載の履物。
【請求項３】
前記詰め物の前記素材は、ポリウレタンであることを特徴とする請求項２に記載の履物。
【考案の詳細な説明】
【技術分野】
【０００１】
本考案は、履物に関するものである。
【背景技術】
【０００２】
従来から、一般的にスリッパと呼ばれる履物は、日本国では、主に、屋内用の履物として、家庭用、業務用ともに、広く利用されている。
【０００３】
この所謂スリッパは、低価格帯のものから高価格帯のものまで、様々なものが製造され、販売されている。
【０００４】
その商品価値を上げるには、甲部の強度を上げて、長期供用できるようにしたり、見栄えを良くして外観品質を向上させたりすることなどがなされている。
【０００５】
例えば、特許文献１には、甲部を装飾することにより、見栄えを良くして外観品質を向上させたスリッパが開示されている。
【０００６】
しかしながら、甲部の強度を上げて、長期供用できるうえに、見栄えを良くして外観品質を向上させたスリッパは、未だに見聞されないので、従来から、そのようなスリッパが欲しいとの要請が多くの人々からあった。
【先行技術文献】
【特許文献】
【０００７】
【特許文献１】実公昭５１−９３９５号公報
【考案の概要】
【考案が解決しようとする課題】
【０００８】
本考案は、以上のような従来からの要請に応えるためのものであって、その課題は、甲部の強度を上げて、長期供用できるうえに、見栄えを良くして外観品質を向上させた履物を提供することにある。
【課題を解決するための手段】
【０００９】
前記課題を解決するために、請求項１記載の考案にあっては、足の裏を支持する底部と、足の甲を覆う甲部とを備えた履物であって、前記甲部の内部に、模様の外輪郭形状の詰め物が内蔵されており、前記甲部において、前記模様の輪郭線が縫合され、前記模様部分の縫合された縫合部以外の表面側が前記詰め物により外方へ膨出することにより、前記甲部上に前記模様が形成されていることを特徴とする。
従って、前記甲部の前記模様部分が、前記詰め物によって厚みが増すと共に、前記模様の輪郭線が縫合されるうえに、前記模様部分の縫合部以外の表面側が前記詰め物により外方へ膨出したものとなる。
【００１０】
請求項２記載の考案にあっては、前記詰め物は、弾力性を有する素材からなることを特徴とする。
従って、前記詰め物が内蔵された前記甲部の前記模様部分は、前記縫合部は充分に縮み、前記縫合部以外の表面側は充分に膨出したものとなる。
【００１１】
請求項３記載の考案にあっては、前記詰め物の前記素材は、ポリウレタンであることを特徴とする。
従って、前記詰め物の前記素材であるポリウレタンは、前記模様部分の大きさの軟質ウレタンフォームの形態で使用するため、比較的低価格である。
【考案の効果】
【００１２】
請求項１記載の履物にあっては、足の裏を支持する底部と、足の甲を覆う甲部とを備えた履物であって、前記甲部の内部に、模様の外輪郭形状の詰め物が内蔵されており、前記甲部において、前記模様の輪郭線が縫合され、前記模様部分の縫合された縫合部以外の表面側が前記詰め物により外方へ膨出することにより、前記甲部上に前記模様が形成されている。
従って、前記甲部の前記模様部分が、前記詰め物によって厚みが増すと共に、前記模様の輪郭線が縫合されるうえに、前記模様部分の縫合部以外の表面側が前記詰め物により外方へ膨出したものとなることから、前記甲部の強度を上げて、長期供用できるうえに、見栄えを良くして外観品質を向上させた履物を提供することができる。
【００１３】
請求項２記載の履物にあっては、前記詰め物は、弾力性を有する素材からなることから、前記詰め物が内蔵された前記甲部の前記模様部分は、前記縫合部は充分に縮み、前記縫合部以外の表面側は充分に膨出したものとなるので、所望の形態に前記模様を形成することができる。
【００１４】
請求項３記載の履物にあっては、前記詰め物の前記素材は、ポリウレタンであり、前記詰め物の前記素材であるポリウレタンは、前記模様部分の大きさの軟質ウレタンフォームの形態で使用するため、比較的低価格であるので、低コストで、前記甲部の強度を上げて、長期供用できるうえに、見栄えを良くして外観品質を向上させた履物を提供することができる。
【図面の簡単な説明】
【００１５】
【図１】図１は、本考案に係る履物の一実施形態の概略構成を示す平面図である。
【図２】図２は、本考案に係る履物の一実施形態の甲部のパーツを示す平面図である。
【考案を実施するための形態】
【００１６】
以下、本考案に係る履物を、一実施形態に基づき、図面を参照して説明する。
【００１７】
先ず、この一実施形態の構成について説明する。
図１及び図２は、本考案に係る一実施形態の履物としてのスリッパ１０を説明するための図である。
【００１８】
この一実施形態の履物としてのスリッパ１０は、図１に示すように、足の裏を支持する底部１１と、足の甲を覆う甲部１２とを備えた履物である。
【００１９】
ここで、底部１１は、平面視で、足の裏の形状に近似した形状とされており、合成皮革から成る表面材１３の内部に、図示を省略したクッション材が内蔵されている。
【００２０】
また、甲部１２は、下部に足の甲を挿入するための開口部１４を有し、平面視で、足の甲の形状に近似した形状とされている。
【００２１】
そして、甲部１２の中央部の内部において厚さ方向に、バラの花の模様１６の外輪郭形状の詰め物１５が内蔵されており、甲部１２において、このバラの花の模様１６の輪郭線が糸で縫合され、このバラの花の模様１６部分の縫合された縫合部１７以外の表面側が詰め物１５により甲部１２の一般面から外方へ膨出することにより、甲部１２上に、このバラの花の模様１６が形成されている。
【００２２】
より具体的には、図２に示すように、底部１１に組み付ける前の甲部１２のパーツを構成する合成皮革から成る表地材１８と裏地材１９との間に、バラの花の模様１６の外輪郭形状の詰め物１５を配設した後、表地材１８と裏地材１９とを接着剤で貼り合わせる。
【００２３】
この段落では、まだバラの花の模様１６の外輪郭形状の詰め物１５全体が表面側に膨出しており、バラの花の模様１６は形成されていない。
【００２４】
この段階から、甲部１２において、バラの花の模様１６の輪郭線の形状を電子的に記憶させた記憶部及び制御部を有するミシンにより、自動的にミシン針の駆動を制御して、このバラの花の模様１６の輪郭線を糸で縫合して形成する。
【００２５】
そして、この出来上がった甲部１２のパーツを底部１１に組み付けると、図１に示すように、このバラの花の模様１６部分の縫合された縫合部１７以外の表面側が詰め物１５により甲部１２の一般面から外方へ膨出し、甲部１２上に、このバラの花の模様１６が形成された履物としてのスリッパ１０が形成される。
【００２６】
なお、詰め物１５には、弾力性を有する素材が用いられている。
具体的には、詰め物１５の素材は、ポリウレタンであり、軟質ウレタンフォームの形態で使用する。
【００２７】
次に、この一実施形態の作用効果について説明する。
【００２８】
この本考案の一実施形態の履物としてのスリッパ１０は、図１及び図２に示すように、上記した構成なので、甲部１２のバラの花の模様１６の部分が、詰め物１５によって厚みが増すと共に、バラの花の模様１６の輪郭線が縫合されるうえに、バラの花の模様１６の部分の縫合部１７以外の表面側が詰め物１５により外方へ膨出したものとなることから、甲部１２の強度を上げて、長期供用できるうえに、見栄えを良くして外観品質を向上させた履物としてのスリッパを提供することができる。
【００２９】
また、詰め物１５は、弾力性を有する素材からなることから、詰め物１５が内蔵された甲部１２のバラの花の模様１６の部分は、縫合部１７は充分に縮み、縫合部１７以外の表面側は充分に膨出したものとなるので、所望の形態にバラの花の模様１６を形成することができる。
【００３０】
さらに、詰め物１５の素材は、ポリウレタンであり、詰め物１５の素材であるポリウレタンは、バラの花の模様１６の部分の大きさの軟質ウレタンフォームの形態で使用するため、比較的低価格であるので、低コストで、甲部１２の強度を上げて、長期供用できるうえに、見栄えを良くして外観品質を向上させた履物としてのスリッパを提供することができる。
【００３１】
以上、本考案に係る履物の一実施形態について図面を参照して詳述してきたが、具体的な構成は、この一実施形態に限らず、本考案の要旨を逸脱しない程度の設計的変更は、本考案に含まれる。
【００３２】
例えば、上記した一実施形態では、模様１６をバラの花としたが、これに限定されず、チューリップの花などの他の花などで実施してもよい。
或いは、ライオンの顔などで実施してもよい。
【産業上の利用可能性】
【００３３】
本考案に係る履物は、家庭用、業務用ともに、広く利用できるので、産業上の利用可能性を有している。
【符号の説明】
【００３４】
１０    スリッパ（履物）
１１    底部
１２    甲部
１３    表面材
１４    開口部
１５    詰め物
１６    バラの花の模様（模様）
１７    縫合部
１８    表地材
１９    裏地材
【図１】
0003215579.tif 000003
【図２】
0003215579.tif 000004